(57)【要約】      （修正有）【課題】光ファイバ又はコードを、そのコードがユーザの家屋において所定のルートに沿って設置される際に、所望の位置に保持することのできる光コード保持デバイスを提供する。【解決手段】光コード保持デバイス５０は、対向端部間に延在する開放チャネル５８を有する曲げリミッタ５２を含み、チャネルがコードを受容してそのコードがチャネル内部で自由に摺動できるようにサイズ採りされる。細長いリテーナ５４が、曲げリミッタを覆うことにより曲げリミッタに固定される場合にチャネルを閉じることによって、曲げリミッタの対向端部間を摺動するにつれてコードがチャネル内部に閉じ込められるように、配置される。ラッチ６２が、リテーナを曲げリミッタに固定することによってデバイスを閉じるように配置され、曲げリミッタは、それが家屋に設置される１以上の表面と形状で一致するように構成される。【選択図】図４
2019133134.tif 000002
【特許請求の範囲】
【請求項１】
ユーザ家屋において所定の設置ルートに沿って所望の位置に光ファイバ又はコードを保持するためのデバイスであって、
前記曲げリミッタの対向端部間に延在する開放チャネルを有する細長い曲げリミッタであって、前記チャネルが所与のコードを受容して該コードが前記チャネル内部で自由に摺動できるように寸法採り及び配置された、曲げリミッタと、
前記曲げリミッタを覆い、かつ前記曲げリミッタの前記対向端部間を摺動する場合に前記所与のコードが前記チャネル内部に閉じ込められるように前記曲げリミッタに固定される場合に前記曲げリミッタにおける前記開放チャネルを閉じるように構成及び配置された細長いリテーナと、
前記リテーナを前記曲げリミッタに固定することによって前記デバイスを閉じるように配置されたラッチと
を備え、前記曲げリミッタ及び前記リテーナは、前記家屋において前記曲げリミッタが設置される１以上の表面と形状で一致するように構成された、デバイス。
【請求項２】
前記デバイスの開位置と閉位置の間の揺動動作のために前記曲げリミッタを前記リテーナに接合するように配置されたヒンジを含む請求項１に記載のコード保持デバイス。
【請求項３】
前記曲げリミッタ及び前記リテーナは、前記家屋内の２つの壁の内側コーナーに形状で一致するように構成された、請求項１に記載のコード保持デバイス。
【請求項４】
前記内側コーナーが約９０度である、請求項３に記載のコード保持デバイス。
【請求項５】
前記家屋において前記デバイスが設置される壁又は他の表面に対して前記デバイスを接着するために前記デバイスの外面に配される１以上の接着剤片を含む請求項１に記載のコード保持デバイス。
【請求項６】
前記家屋において前記デバイスが設置される壁又は他の表面に対して前記デバイスを固定するためのタックを含む請求項１に記載のコード保持デバイス。
【請求項７】
ユーザ家屋において所定のルートにわたって光ファイバ又はコードを設置するためのシステムであって、
請求項１に記載のコード保持デバイス、及び
前記コード保持デバイスを設置するための設置ツールであって、該設置ツールがキーを有し、前記デバイスは該デバイスが閉じられる場合に前記キーを受容するように寸法採り及び配置された取付け部を有する、設置ツール
を備えるシステム。
【請求項８】
前記設置ツールは、接着剤塗布シリンジの遠端に前記ツールを取り付けるように寸法採り及び配置されたカラーを含む、請求項７に記載のコード設置システム。
【請求項９】
前記カラーは、長手方向スロットを有する、請求項８に記載のコード設置システム。
【請求項１０】
前記設置ツールは、前記ツールを延長ポールの遠端に取り付けるように寸法採り及び配置された円筒形ボスを含む、請求項７に記載のコード設置システム。
【請求項１１】
第１のハンドルを有するディスペンスガン、
ノズルを有する接着剤シリンジ、
一端が前記ディスペンスガンに取り付けられ、他端が前記接着剤シリンジに取り付けされた延長チューブ、及び
前記接着剤シリンジ上での前記ノズルの動きにわたる設置者の制御性を高めるために前記延長チューブに沿って所望の位置においてセットされるように構成及び配置された第２のハンドル
を備えた伸張可能な接着剤ディスペンスガンシステムを含む請求項７に記載のコード設置システム。
【発明の詳細な説明】
【技術分野】
【０００１】
本発明は、ファイバ光ネットワークユーザのリビングユニット又は家屋内に光ファイバを設置するデバイス及びツールに関し、特に、ファイバを家屋に設置しつつファイバを所望の位置に保持するデバイスに関する。
【０００２】
関連出願の相互参照
本出願は、３５Ｕ．Ｓ．Ｃ．第１１９条（ｅ）の下で、２０１７年１２月１１日出願の発明の名称「Ｃｏｒｄ  Ｒｅｔａｉｎｉｎｇ  Ｄｅｖｉｃｅ」の米国仮特許出願第６２／５９６９９７号の優先権を主張し、その全体の内容が参照としてここに取り込まれる。
【背景技術】
【０００３】
ここで使用する用語「家屋」は、ファイバ光ネットワークユーザが居住し、例えば、インターネットアクセス、電話、テレビ、音声音楽放送、並びに／又は他の情報及びデータストリームといったネットワークによって提供されるサービスを使用する住宅、オフィス、アパート又は他のリビングユニットであって、家屋内に１以上の光ファイバの引回し及び設置を必要とするものを意味するものである。さらに、用語「ファイバ」、「光ファイバ」及び「コード」は、ここでは互換可能に使用され、１以上の光ファイバを含むファイバ光ケーブルだけでなく、バッファ及び／又はジャケットが施された光ファイバも意味することを意図する。
【０００４】
デスクトップ光ネットワーク端末（ＯＮＴ）は、光ファイバネットワークユーザの家屋内で配備されることが多くなりつつある。通常、ＯＮＴは、デバイスをネットワークとインターフェースするようにＯＮＴが接続されるテレビセットトップボックス、ケーブルモデム又は他の電子デバイスの近くのユーザの家屋内のデスク又は棚に配置される。現在、ＯＮＴと、家屋のエントリポイント又はその近くで一般的に配置されるネットワークプロバイダ端末との間に光ファイバを設置するためのツール又はデバイスのニーズがあり、そのデバイスはファイバを迅速に、安全かつ確実に家屋での高い引回し経路上で、設置完了時に視覚的な悪影響なく設置することができる。
【０００５】
従来のステープルは、設置時間を最小化し、比較的低コストとなるように、家屋で壁、壁のモールディング又は他の剥き出しの利用可能な構造表面にファイバを固定するのに使用可能である。しかしながら、ステープルによる設置は、それらの家屋でファイバを隠すための特殊なモールディング又はコンジットを代わりに選択する多くのユーザには受け入れられない。ステープルはまた、壁及びモールディングに物理的にダメージを与え、適切に設置されていない場合にはファイバを損傷又は断線させることもある。それらの家屋でのすべてのワイヤ及びファイバを完全に隠すことを希望するユーザもいるため、高価なハードウェア及び設置時間の増加がもたらされる。
【０００６】
したがって、設置者が、ユーザの家屋内の構造表面、溝、及び／又はコーナーに沿って迅速に、適切かつ安全に光ファイバを、見えるとしてもほとんど目立つことなく引き回して接着させるのを可能とするシステムが非常に望まれている。ＯＦＳ  Ｆｉｔｅｌ、ＬＬＣ社によって登録商標ＩｎｖｉｓｉＬｉｇｈｔ（登録商標）に基づいて提案された解決手段は、屋内の壁及び天井に光ファイバを接着させるのに消費者グレードの、低臭気性、安全、水性の接着剤を使用して迅速、容易かつ実質的に目立たないファイバ設置を提供することによりこのニーズを満たす。一般的に非毒性であり、石鹸と水で洗浄可能で制約なく世界中に出荷可能であることから、水性の接着剤が望ましい。ＩｎｖｉｓｉＬｉｇｈｔ（登録商標）の設置に対する要求が拡がったため、ユーザは以下の懸念に対処することによってさらに設置時間を短縮する要望を示してきた。
【０００７】
現在、設置者は、何度も梯子を移動させて登らなくてはならない。まず、彼又は彼女は、接着剤ディスペンスガンを把持しながら、梯子の位置を変えては登り、経路の各箇所で天井又はモールディングに届くようにすることによって、引回し経路の連続する高い箇所上に接着剤ビーズを堆積させる。接着剤ビーズを堆積させるのに、設置者は、シリンジ内のプランジャが塗布ノズルから接着剤を押し出すことを可能とするガンの引き金を１回以上ひく。接着剤が引回し経路全体にわたって堆積すると、設置者は最初の一連の梯子移動を繰り返し、経路の各高い箇所で梯子に再度登り、そこで設置者は指を使ってファイバを接着剤ビーズに押し込む。しかしながら、多くの家屋で大きな家具（例えば、ソファ及びエンターテイメントセンター）が引回し経路の１以上の高い箇所の直下に配置されているので、設置者がその場所で安全に梯子を使用するのが難しくなる。
【０００８】
図１は、本出願人に譲渡された２０１７年１０月２３日出願の米国特許出願第１５／７９０３１７号で開示された伸張可能な接着剤ディスペンスガンシステム１０を示す。システム１０は、設置者が家屋で床に立ちながら天井及び廻り縁に沿って接着剤ビーズを塗布することを可能とする。システムは、接着剤ディスペンスガン１２、外側延長チューブ１４、ロッドの遠端にプランジャヘッド１８を有し、延長チューブの内側で軸方向に延在する内側ロッド１６、ベース２０、延長チューブ１４の遠端においてシリンジアダプタ２２及びシリンジノズル３０から接着剤を分配するためのピストン２６を有するシリンジ２４を含む。
【０００９】
接着剤ビーズを塗布するために、設置者はガン１２の引き金を１回以上ひいて、ガン内部のプランジャが内側ロッド１６に対し前進するのを可能にし、同様にシリンジ２４内のピストン２６を押し出してノズル３０から接着剤を分配する。内側ロッド１６の端部にあるプランジャヘッド１８は、一定の前方及び外側への圧力をピストン２６の薄壁の後端に加え、シリンジ２４の内壁に対してシールし、信頼性のある均質な接着剤塗布を保証することを促進する。
【００１０】
図２は、本出願人にさらに譲渡された２０１７年１２月１１日出願の米国特許出願第１５／８３７５３７号で開示されたコードガイドツール４０を示す。図３に示すように、図１のディスペンスガンシステム１０のシリンジ２４の遠端に取り付けられると、ガイドツール４０は、設置者が梯子なしで天井近くに堆積された接着剤ビーズの中に整然とかつ正確にファイバを埋め込むことを可能とする。ガイドツール４０は、隣接する壁、壁と天井、又は壁とモールディングの間のコーナーにまたがって押し出されると先端縁部４２とコーナーの間に画定されるスペースが比較的小さくなるようにサイズ採りされた平らな先端縁部４２を有する。接着剤ビーズがコーナーに沿って堆積され、ファイバがツール４０の先端縁部４２と接着剤ビーズが分配されたコーナーとの間を通るように方向付けられると、ガイドツール４０はファイバをビーズに埋め込む。
【００１１】
本出願人にさらに譲渡され、参照によりここに取り込まれる米国特許出願公開第２０１７／０１６０５０８号（２０１７年６月８日）は、梯子なしで、建築物の部屋又は廊下の構造上のコーナーに沿って堆積した接着剤ビーズに光ファイバを埋め込むツールについて説明している。ツールは、ファイバを受容して含むトラフ、ファイバを保持するように配置されたトラフの下流端にあるガイドチャネル、及び設置者がポールを使用してビーズ上及びビーズに対してツールノーズを掃引するときにビーズにファイバを埋め込むためのチャネルの下流端にあるノーズを有する。
【００１２】
内側及び外側コーナーの曲げリミッタは、現在、ＯＦＳ  Ｆｉｔｅｌ、ＬＬＣ社のＩｎｖｉｓｉＬｉｇｈｔ（登録商標）補助ルーティングキット（品番３０１０７９８０２）の一部として入手可能である。種々の構造表面（例えば、廻り縁、壁、及び天井）のコーナーにおいて曲げリミッタの取付けを簡単にするために、剥離ライナーを有する両面粘着テープの薄片とともにリミッタが設けられる。米国特許第９７２０２００号（２０１７年８月１日）もまた、特許の図２Ａで曲げリミッタを開示している。‘２００特許のリミッタは、通信ケーブルを受容するためのガイド経路、及びガイド経路内からの意図しないケーブルの分離を避けるための１対以上の離間したタブを有する。
【００１３】
はしごの使用を最小限に抑えながら、さらに迅速な設置を容易にするために、いくつかの問題に対処する必要がある。まず、接着剤塗布中に梯子を必要としない、図１のシステム１０のような伸張可能な接着剤ディスペンスガンシステムが必要である。第２に、１以上のコード保持デバイスが、コードを保持し、コードがビーズに埋め込み可能なように、分配された接着剤ビーズに十分に近接してそれを位置決めする必要がある。コード保持デバイスはまた、接着剤ビーズが硬化する間にコードの荷重を支えなくてはならない。最後に、図２のコードガイドツール４０のようなツールは、設置者が梯子を使うことを要さずに、接着剤ビーズに正確にかつ整然とコードを押し出す必要がある。あるいは、所望の引回し経路に沿って接着剤ビーズを分配する前に、コードは、コード保持デバイスを用いて引回し経路に沿って一時的に保持され得る。その後、接着剤ビーズは経路に沿って分配され、ビーズの中にコードを埋め込むことが続く。
【発明の概要】
【００１４】
本発明によると、光ファイバ又はコードをユーザの家屋において所定の設置ルートに沿って所望の位置に保持するためのデバイスは、曲げリミッタの対向端部間に延在する開放チャネルを有する細長い曲げリミッタを含む。チャネルは、所与のコードを受容してコードがチャネル内部で自由に摺動できるように寸法採り及び配置される。
【００１５】
細長いリテーナが、曲げリミッタを覆い、曲げリミッタに固定される場合に曲げリミッタにおける開放チャネルを閉じることにより、コードが曲げリミッタの対向端部間を摺動する場合に所与のコードがチャネル内部に閉じ込められるように、構成及び配置される。
【００１６】
ラッチが、リテーナを曲げリミッタに固定することによってデバイスを閉じるように配置され、曲げリミッタは、家屋において曲げリミッタが設置される１以上の表面と形状で一致するように構成される。
【００１７】
発明をより理解するために、添付の図面及び付随する特許請求の範囲と併せて以下の説明を参照する。
【図面の簡単な説明】
【００１８】
【図１】図１は、伸張可能な接着剤ディスペンスガンシステムを示す。
【図２】図２は、コードガイドツールを示す。
【図３】図３は、図１の接着剤ディスペンスガンシステムに取り付けられたときの図２のコードガイドツールを示す。
【図４】図４Ａ、図４Ｂは、発明によるコード保持デバイスの実施形態を示す。
【図５】図５は、閉位置での発明のコード保持デバイスを示す。
【図６】図６は、コード保持デバイスの設置ツールを示す。
【図７】図７は、コード保持デバイスを係合したときの図６の設置ツールを示す。
【図８】図８は、図１の接着剤ディスペンスガンシステムに取り付けられた図６の設置ツールを示す。
【図９Ａ】図９Ａは、ユーザの家屋で天井近くの２つの壁の内側コーナーに発明のコード保持デバイスを設置するのに使用されている図６の設置ツールを示す。
【図９Ｂ】図９Ｂは、ユーザの家屋で天井近くの２つの壁の内側コーナーに発明のコード保持デバイスを設置するのに使用されている図６の設置ツールを示す。
【図１０】図１０は、ユーザの家屋で天井近くの２つの壁の内側コーナーに発明のコード保持デバイスを設置するのに使用されている図６の設置ツールを示す。
【図１１Ａ】図１１Ａは、発明によるコード保持デバイスの別の実施形態を示す。
【図１１Ｂ】図１１Ｂは、発明によるコード保持デバイスの別の実施形態を示す。
【図１２】図１２は、図６の設置ツールに取り付けられた図１１のコード保持デバイスを示す。
【図１３Ａ】図１３Ａは、図１１のコード保持デバイスの変形例を示す。
【図１３Ｂ】図１３Ｂは、図１１のコード保持デバイスの変形例を示す。
【図１４Ａ】図１４Ａは、図４Ａ、図４Ｂ及び図１１の発明のコード保持デバイスが、ユーザの家屋でそのデバイスが設置される壁の形状に合わせるためにどのような異なる構成を有し得るかを示す。
【図１４Ｂ】図１４Ｂは、図４Ａ、図４Ｂ及び図１１の発明のコード保持デバイスが、ユーザの家屋でそのデバイスが設置される壁の形状に合わせるためにどのような異なる構成を有し得るかを示す。
【図１４Ｃ】図１４Ｃは、図４Ａ、図４Ｂ及び図１１の発明のコード保持デバイスが、ユーザの家屋でそのデバイスが設置される壁の形状に合わせるためにどのような異なる構成を有し得るかを示す。
【図１５】図１５は、図６の設置ツール上の取付けカラーの変形例を示す。
【図１６】図１６は、図６の設置ツール上の取付けカラーの代わりに円筒ねじ状ボスを示す。
【発明を実施するための形態】
【００１９】
図４Ａ及び図４Ｂは、発明によるコード保持デバイス５０の一実施形態を示す。デバイスは、梯子の使用を最小限に抑えながら、ユーザの家屋に光ファイバ又はコードを設置することを可能にする。
【００２０】
コード保持デバイス５０は、曲げリミッタ５２、及びツール取付け部５６を有するリテーナ５４を含む。一般的に、曲げリミッタ５２は細長い本体を有し、チャネル５８は曲げリミッタ５２の本体に沿った開口上部を有して形成される。チャネル５８は、所与のコードを含み、曲げリミッタの両端間にあるチャネル内をコードが自由に摺動することを可能とするようにサイズ採りされる。リテーナ５４もまた蓋として機能する細長い本体を一般的に有し、図５のようにリテーナが曲げリミッタの上で固定されると、リテーナ５４はチャネル５８の上部を閉じる。
【００２１】
図４Ａ及び図４Ｂの実施形態において、曲げリミッタ５２は、リテーナ５４にリビングヒンジ６０によって接合される。図示のように、ヒンジ６０は、曲げリミッタ５２とリテーナ５４が対向する縁部に沿った実質的に中間の位置で、曲げリミッタ５２及びリテーナ５４に取り付けられている。曲げリミッタ５２はまた、リテーナ５４上の面取りされたボス６４と係合し、それによってリテーナを曲げリミッタに固定し、チャネル５８の上部を閉じるような形成及び寸法採りされたスナップラッチ６２を含む。その結果、コードが曲げリミッタ５２の両端を出し入れ自由に摺動するので、図５のようにラッチ６２がデバイス５０を閉じると、チャネル５８に含まれたコードはチャネル内に閉じ込められる。
【００２２】
デバイス５０は、例えば透明のポリプロピレン、ポリエチレン又は他の同等の化学耐性プラスチックなどの材料を射出成形することによって生成され得る。剥離裏面を有する薄い両面粘着テープが、曲げリミッタ５２の外面７０及び７２に接着され、家屋でコードが引き回される例えば廻り縁、壁及び天井などの種々の構造表面に閉じられたときに保持デバイス５０の取付けを容易にする。
【００２３】
図６は、ユーザの家屋で高い引回し経路に沿って所望の位置でコード保持デバイス５０を設置するのに使用され得るツール８０を示す。設置ツール８０は、デバイス５０のリテーナ５４上の取付け部５６を係合するように形成されたキー８２を有する。ツール８０はまた、デバイス５０に対して最適にツールを位置決めするように配置された止め具８４、並びに図１の接着剤ディスペンスガンシステム１０のシリンジ２４の遠端に関してツール８０を取り付けるように寸法採り及び配置された円筒状取付けカラー８６を有する。図８参照。
【００２４】
図７は、コード保持デバイス５０のリテーナ５４上の取付け部５６を係合する際の設置ツール８０を示す。図７に示すように、所与のコード９０は、リテーナ５４が曲げリミッタ上に固定された後に、曲げリミッタ５２のチャネル５８を通じていずれかの方向に自由に摺動できる。従って、図８のようにシリンジ２４の遠端に設置ツール８０が取り付けられると、設置者は、保持されたコード９０を有する閉じられたデバイス５０を、家屋での所望の設置ルートに沿った内側コーナー内、又は別の高い場所に設置することができる。図９Ａ、図９Ｂ及び図１０参照。
【００２５】
発明のコード保持デバイス５０の１つ以上を使用して、所望のルートに沿ってコード９０を設置するために、設置者は通常以下の工程を実行する：
１．各内側コーナーの両側で約１インチ、及び／又は１以上のコード保持デバイス５０の設置を希望するルート沿いの他の場所を除いた場所に、図１の接着剤ディスペンスガンシステム１０を使用して所望のルートに沿って接着剤ビーズを分配する。なお、シリンジノズル３０の動きに対する設置者の制御性は、ディスペンスガン１２のハンドルに加えて第２のハンドル８９（図１参照）を与え、外側延長チューブ１４に沿って所望の位置にハンドル８９をセットすることによって向上又は改良され得る。
２．シリンジキャップをシリンジノズル３０に交換し、シリンジ２４の遠端に図６の設置ツール８０を取り付ける。
３．マスキングテープ又は同等の手段を使用してコードの初期アンカーポイントを一般的には家屋の入り口ポイント又はその付近に固定する。
４．デバイス５０の曲げリミッタ５２の底面及び背面壁７０、７２上の粘着テープ片から剥離ライナーを除去する。
５．リテーナ５４を開位置にして、曲げの方向がコードの所望のルートと一致することを確認しながら、曲げリミッタ５２のチャネル５８内にコードを載置する。リテーナ５４を曲げリミッタ５２に固定してチャネル５８の上部を閉じ、それでもコードがチャネルを介して曲げリミッタの端部を自由に摺動して出入りすることを確実にする。
６．閉じられたコード保持デバイス５０のリテーナ５４を設置ツール８０の上部にあるキー８２に取り付ける。
７．設置ツール８０を使用して内側コーナー及び／又はコード設置ルートに沿った他の場所にコード保持デバイス５０を設置する。設置を容易にするために必要に応じてコードを弛ませて掛ける。
８．各場所にコード保持デバイス５０を設置すると、弛みを取り除くために、引き回される方向へコードを注意深く引っ張る。また、コードを位置決めするのに、例えば図２のコードガイドツール４０を必要に応じて使用して、コードが外側コーナーに関して引き回される場所の弛みもゆっくりと取り除く。
９．コードガイドツール４０を使用して、上記工程１で分配された接着剤ビーズにコードを埋め込む。
１０．コード設置ルートに沿ってデバイス５０の設置が望まれるコーナー及び／又は他の場所の追加ごとに上記工程４〜９を繰り返す。
【００２６】
なお、代替として、１以上のコード保持デバイス５０及びコード９０が接着剤分配工程１の前に設置されてもよい。すなわち、工程１は、工程７の後に実行されてもよい。また、コード保持デバイス５０は、コーナー、壁と天井の境界及び他の場所で必要に応じて垂直面においてコードを引き回し又は曲げるのに使用されてもよい。そして、デバイス５０の設置ツール８０は、キー８２及び止め具８４を再構成することによって、必要に応じて当業者により変形され得る。
【００２７】
図１１Ａ及び１１Ｂは、双方がデバイス５０の曲げリミッタ５２及びリテーナ５４に類似する全体に細長い本体を有する、コード保持チャネル１０６を有する曲げリミッタ１０２及び別個のリテーナ１０４を含む発明によるコード保持デバイス１００の他の実施形態を示す。剥離ライナーを有する両面粘着テープ片も、曲げリミッタ１０２の底部、上部及び外面に載置される。
【００２８】
コード保持デバイス１００を使用するために、設置者は、曲げリミッタ１０２上にテープ片から剥離ライナーを除去し、チャネル１０６にコードを載置してから、チャネル１０６内部にコードを閉じ込めるように曲げリミッタ１０２にわたって適所にリテーナ１０４を固定する。コードを引き回すために、設置者は、上記に挙げた設置工程を実行することができる。図１２に、コード保持デバイス１００に取り付けられた設置ツール８０を示す。
【００２９】
図１３Ａ及び１３Ｂに示すように、織地が張られた天井面又は壁面に対して閉じられた場合にコード保持デバイス１００を設置するのを助けるために、デバイス１００の曲げリミッタ１０２及びリテーナ１０４を介して形成された開口部１２２を介してタック１２０が天井又は壁に押し込まれ得る。タック１２０は、例えば、設置ツール８０への取付けの前にデバイス１００に挿入されることになる。タック１２０はまた、タックの頂部が成形プラスチックデバイスに埋め込まれた状態で、コード保持デバイス１００に成形されて挿入され得る。タック１２０は、ポップコーンテクスチャ及び幾つかの塗料コーティングが存在していても壁及び天井を容易に貫通するように、例えば、鋼又は真鍮からなり得る。
【００３０】
ここに示すようにデバイス５０及び１００におけるチャネル５８及び１０６の入口方向及び出口方向は、相互に対して略直角、すなわち９０度となる。ただし、図１４Ａ〜１４Ｃに示すように、デバイス５０及び１００は、１３５度の１以上の内側コーナーを形成する壁を有する部屋において、又はコードが比較的長い直線スパンにわたって引き回される部屋においてデバイスが使用されることを可能とするように、他の、例えば１３５度又は１８０度の入口／出口構成を有するように構成され得る。
【００３１】
また、図１５に示すように、接着剤ディスペンスシリンジ２４におけるアタッチメント８６の担持力を向上するのに、設置ツール８０における円筒形カラー８６が長手方向スロット１３０とともに形成され得る。スロット１３０が設けられる場合、カラー８６の内径は、担持力を最適化する公知の態様で変形され得る。さらに、カラー８６は、図１６に示すように、ＡＣＭＥ雌ねじを有する円筒形ボス１４０に置き換えられてもよい。これによって、設置ツール８０は、図８のように接着剤ディスペンスシステム１０のシリンジ２４に取り付けられるのではなく、標準的な延長ポールの遠端に螺合可能となる。
【００３２】
上記は本発明の好適な実施形態を示すが、当業者には、発明の趣旨及び範囲から逸脱することなく上記などの種々の変更、変形及び付加がなされ得ることが分かるはずである。したがって、発明は、全てのそのような変更、変形及び付加を以降の特許請求の範囲内にあるものとして含む。
【図１】
2019133134.tif 000003
【図２】
2019133134.tif 000004
【図３】
2019133134.tif 000005
【図４】
2019133134.tif 000006
【図５】
2019133134.tif 000007
【図６】
2019133134.tif 000008
【図７】
2019133134.tif 000009
【図８】
2019133134.tif 000010
【図９Ａ】
2019133134.tif 000011
【図９Ｂ】
2019133134.tif 000012
【図１０】
2019133134.tif 000013
【図１１Ａ】
2019133134.tif 000014
【図１１Ｂ】
2019133134.tif 000015
【図１２】
2019133134.tif 000016
【図１３Ａ】
2019133134.tif 000017
【図１３Ｂ】
2019133134.tif 000018
【図１４Ａ】
2019133134.tif 000019
【図１４Ｂ】
2019133134.tif 000020
【図１４Ｃ】
2019133134.tif 000021
【図１５】
2019133134.tif 000022
【図１６】
2019133134.tif 000023
【外国語明細書】
2019133134.tif 000024
2019133134.tif 000025
2019133134.tif 000026
2019133134.tif 000027
2019133134.tif 000028
2019133134.tif 000029
2019133134.tif 000030
2019133134.tif 000031
2019133134.tif 000032
2019133134.tif 000033
2019133134.tif 000034
2019133134.tif 000035
2019133134.tif 000036
2019133134.tif 000037
2019133134.tif 000038
2019133134.tif 000039
2019133134.tif 000040
2019133134.tif 000041
2019133134.tif 000042
2019133134.tif 000043
2019133134.tif 000044
2019133134.tif 000045
2019133134.tif 000046
2019133134.tif 000047
2019133134.tif 000048